(57)【要約】【課題】他の行為と並行してアイコンの選択状態の確認を行うことを容易にし、操作性の向上を図ることができる携帯端末装置を提供すること。【解決手段】メモリ２５には複数の報知パターンが記憶されており、操作部２４によってカーソルを移動・選択する操作が行われた場合、ＣＰＵ２３はメモリ２５から所定の報知パターンを読出し、スピーカ（受話スピーカ２０，着信音スピーカ２２）又はバイブレータ２７に対して動作指示を出す。【選択図】      図１
2004328087.tif 000002
【特許請求の範囲】
【請求項１】
複数の項目を表示部に表示し、前記表示部に表示されているカーソルを操作することにより前記項目を選択又は実行する携帯電話機において、
前記カーソルを移動するためのキー操作が行われた場合、
カーソル移動の際の操作キーの操作方向、移動先のカーソル位置、及び前記カーソルの移動方向のうち、少なくとも１つを検出する検出手段と、
前記検出手段による検出結果を報知する報知手段と
を具備したことを特徴とする携帯端末装置。
【請求項２】
請求項１に記載の携帯端末装置において、
前記報知手段は、前記検索結果に基づいて音及び／又は振動によって報知することを特徴とする携帯端末装置。
【請求項３】
請求項１又は請求項２に記載の携帯端末装置において、
前記報知手段は、前記検出結果に基づいて異なる報知パターンによって報知することを特徴とする携帯端末装置。
【請求項４】
請求項１に記載の携帯端末装置において、
複数の項目が行方向と列方向とに配列されており、前記項目間をカーソル移動するためのキー操作が行われた場合、移動先のカーソル位置の行方向の値Ｍと列方向の値Ｎとを取得する手段を具備し、
前記報知手段は、前記Ｍと前記Ｎとを振動によって報知し、前記Ｍと前記Ｎとの区切りを音によって報知することを特徴とする携帯端末装置。
【発明の詳細な説明】
【０００１】
【発明の属する技術分野】
本発明は、携帯電話機やＰＤＡ（Ｐｅｒｓｏｎａｌ  Ｄｉｇｉｔａｌ  Ａｓｓｉｓｔａｎｔｓ）等の携帯端末装置に関するものである。
【０００２】
【従来の技術】
近年の携帯電話機には本来の電話機としての機能のほかに、インターネットブラウザ、スケジューラ、メーラ等の付加的な機能を果たす複数のアプリケーションが搭載されている。これらのアプリケーションを選択・実行するには、待機画面からメニューリストを呼出し、当該メニューの下に階層化して設けられている複数のサブメニューの中から所望のアプリケーションをみつけて、起動指示する方法がとられていた。
しかし、上記のような方法でしか所望のアプリケーションにアクセスできないのでは、下層にあるアプリケーションを実行する際等に操作性が悪かった。
そこで、特許文献１の図４（ｃ）にもあるとおり、待機画面に複数のアイコンを表示し、これらアイコンと比較的使用頻度の高いアプリケーションとを関連付けることにより、アイコンをクリックするだけで所望のアプリケーションを実行する携帯電話機が提供されるようになった。
【０００３】
【特許文献１】
特開２００２−１１８６３８号公報
【０００４】
【発明が解決しようとする課題】
しかしながら、アイコンの選択状態を知るには目視による確認が必要であり、何か他のことを行いながらアイコン操作を行うのは事実上困難であった。
【０００５】
【発明の目的】
従って、本発明の目的は、他の行為と並行してアイコンの選択状態の確認を行うことを容易にし、操作性の向上を図ることのできる携帯端末装置を提供することである。
【０００６】
【課題を解決するための手段】
そこで、上記課題を解決するため、本発明は、複数の項目を表示部に表示し、表示部に表示されているカーソルを操作することにより項目を選択又は実行する携帯電話機に、カーソルを移動するためのキー操作が行われた場合、カーソル移動の際の操作キーの操作方向、移動先のカーソル位置、及びカーソルの移動方向のうち、少なくとも１つを検出する検出手段と、検出手段による検出結果を報知する報知手段とを具備したことを特徴とする。
上記報知手段は、前記検索結果に基づいて音及び／又は振動によって報知することが好ましい。
上記報知手段は、検出結果に基づいて異なる報知パターンによって報知することが好ましい。
さらに、上記携帯端末装置は、複数の項目が行方向と列方向とに配列されており、項目間をカーソル移動するためのキー操作が行われた場合、移動先のカーソル位置の行方向の値Ｍと列方向の値Ｎとを取得する手段を具備し、上記報知手段は、ＭとＮとを振動によって報知し、ＭとＮとの区切りを音によって報知することが好ましい。
【０００７】
【発明の実施の形態】
以下、添付図面を参照しながら、本発明の実施形態について説明する。なお、本実施の形態の説明中の「カーソル」は、「アイコン，メニュー，各種項目が選択されていることを示すアクティブ表示」「マウスカーソル」「画面上でユーザが入力を行う位置を示すマーク」の全てを意味する。
【０００８】
（１）携帯電話機のブロック図の説明
図１は、本発明の実施の形態である携帯電話機１００の全体構成を示すブロック図である。図示するように、本携帯電話機はアンテナ１、スイッチ２、フィルタ３、アンプ４、ミキサ５、フィルタ６、ミキサ７、フィルタ８、アンプ９、フィルタ１０、アンプ１１、ミキサ１２、アンプ１３、シンセサイザ１４、モデム１５、フレ−ムプロセッサ１６、コ−デック１７、マイク１８、アンプ１９、受話スピ−カ２０、アンプ２１、着信音スピ−カ２２、ＣＰＵ（中央処理装置）２３、操作部２４、メモリ２５、ＬＣＤ表示部２６、バイブレータ２７を具備する。
【０００９】
アンテナ１は基地局と交信するアンテナである。スイッチ２はアンテナ１の送／受切替用スイッチである。アンテナ１で受信された受信信号は、スイッチ２及びフィルタ３を通りアンプ４で増幅され、ミキサ５でシンセサイザ１４の出力する周波数で第１周波数変換される。該変換された信号はフィルタ６を通過し、ミキサ７で第２周波数変換され、該変換された信号はフィルタ８を通り、アンプ９で増幅されモデム１５で復調される。復調された受信信号はフレ−ムプロセッサ１６でフレ−ム単位に処理され、コ−デック１７でデコ−ドされアンプ１９を介し受話スピ−カ２０から音声として出力される。
【００１０】
マイク１８から出力された音声信号はコ−デック１７でコ−ド化されフレ−ムプロセッサ１６でフレ−ム単位に処理され、モデム１５で変調される。変調された送信信号はアンプ１３で増幅され、ミキサ１２で出力周波数に変換され、アンプ（パワ−アンプ）１１で増幅され、フィルタ１０、スイッチ２及びアンテナ１を介して出力される。
【００１１】
携帯電話機は常時、アンテナ１を通して基地局とコントロ−ルチャネルを介して交信し自分の居場所（サ−ビスエリア）をシステムに知らせている。ＣＰＵ２３はシンセサイザ１４、モデム１５、フレ−ムプロセッサ１６、コ−デック１７の制御及び操作部２４からの信号により端末全体を制御する。着信音はアンプ２１を介し着信音スピ−カ２２から出力される。受話スピ−カ２０用のアンプ１９及び、着信音スピ−カ２２用のアンプ２１は共に増幅度を変えることができるアンプで、受話スピ−カ２０用のアンプ１９の増幅度も操作部２４から設定することが出来る。着信音スピ−カ２２用のアンプ２１の増幅度も同様である。
【００１２】
操作部２４は、テンキーその他機能キー等で構成されており、上記特定キーが押下された場合には、その旨を通知する信号をＣＰＵ２３に送る。
メモリ２５には各種アプリケーションを実行するためのソフトウェアが格納されており、操作部２４によって所定のアプリケーションの起動操作が行われた場合には、ＣＰＵ２３がメモリ２５から当該ソフトウェアを読出して実行する。
【００１３】
本実施の形態の携帯電話機の場合、ＬＣＤ表示部２６に複数のアイコンを表示し、これらのアイコンとそれぞれのアプリケーションとを関連付け、アイコンが選択されている状態でカーソル操作を行うためのキー（例えば、図５のカーソルキー５０１）が押下された場合、当該アイコンに関連付けられているアプリケーションを起動する。
また、メモリ２５には電話帳登録データが記憶されており、操作部２４によってＬＣＤ表示部２６に電話帳登録データを表示させることも可能である。ユーザがＬＣＤ表示部２６に表示された登録データのインデックス（例えば、氏名）を選択している状態で決定キー（例えば、図５の５０１）を押下すると、当該登録データの内容がＬＣＤ表示部２６に表示される。
さらに、メモリ２５には後述する報知パターンが記憶されており、操作部２４によってカーソルを移動・選択する操作が行われた場合、ＣＰＵ２３はメモリ２５から所定の報知パターンを読出し、スピーカ（受話スピーカ２０，着信音スピーカ２２）又はバイブレータ２７に対して動作指示を出す。
【００１４】
（２）本発明の実施の形態である携帯電話機の動作フロー
（２−１）第１の実施の形態
本発明の第１の実施の形態について、本発明の実施の形態である携帯電話機１００の動作フローチャート（図２）と正面図（図５（ａ））とを参照しながら説明する。キー操作待ち状態（Ｓ２０１）で操作部２４からＣＰＵ２３へ、カーソルキー５０１を操作した旨の制御信号が送信されると（Ｓ２０３）、ＣＰＵ２３は決定操作（例えば、カーソルキー５０１の中央の押下）であったのか、カーソル移動のための操作（例えば、カーソルキー５０１を上下左右のいずれかに押下）であったのかを確認する（Ｓ２０５）。
【００１５】
その結果、決定操作であった場合には、選択されていた項目（図５（ａ）のアイコン５０２に関連付けられているアプリケーション）を実行し（Ｓ２１９）、処理を終了する（Ｓ２２１）。一方、移動操作であった場合にはカーソルの移動方向を検出する（Ｓ２０７）。具体的には、カーソルキー５０１の操作（Ｓ２０３）の前にアイコン５０３が選択されていた場合には「移動方向＝下」と検出される。
【００１６】
Ｓ２１１〜２１７では、Ｓ２０７で検出した移動方向に対応する報知パターンをメモリ２５から読出す。具体的には、移動方向＝上の場合は報知パターンＡ（例えば、報知音の出力間隔＝５０ｍｓｅｃ，報知音の連続出力時間＝５０ｍｓｅｃ，報知音の出力回数＝２回，報知音の音色＝電子音）を読出し、移動方向＝下の場合は報知パターンＢ（例えば、報知音の出力間隔＝５０ｍｓｅｃ，報知音の連続出力時間＝５０ｍｓｅｃ，報知音の出力回数＝３回，報知音の音色＝電子音）を読出し、移動方向＝右の場合は報知パターンＣ（例えば、報知音の連続出力時間＝１００ｍｓｅｃ，報知音の出力回数＝１回，報知音の音色＝ブザー音）を読出し、移動方向＝左の場合は報知パターンＤ（例えば、報知音の出力間隔＝５０ｍｓｅｃ，報知音の連続出力時間＝１００ｍｓｅｃ，報知音の出力回数＝２回，報知音の音色＝ブザー音）を読出す。
【００１７】
つづいて、報知パターンＡ〜Ｄが▲１▼音での報知なのか、▲２▼振動での報知なのか、▲３▼音と振動との組合せによる報知なのか、メモリ２５を参照して確認する。そして、▲１▼の場合はスピーカを、▲２▼の場合はバイブレータを、▲３▼の場合はスピーカ及びバイブレータを起動して該当報知パターンで報知する（Ｓ２１８）。
上記▲１▼〜▲３▼は、携帯電話機１００のモード設定（通常モードなのか、マナーモードなのか等）に応じて変更することも可能である。したがって、本来は▲１▼音での報知、または▲２▼音と振動との組合せによる報知である場合でも、携帯電話機１００がマナーモードに設定されている際は、マナーモード用の報知パターンに切り替えて報知する。
なお、上記説明ではＳ２０７において、カーソルの移動方向を検出したが、カーソルキー５０１の操作方向（カーソルキー５０１が上方向に操作された場合＝上、下方向に操作された場合＝下、右方向に操作された場合＝右、左方向に操作された場合＝左）を検出し、その検出結果に基づいて報知パターンを決定することも可能である。この場合の動作フローも図２と同じになるため、ここでは説明を省略する。
【００１８】
（２−２）第２の実施の形態
本発明の第２の実施の形態について、本発明の実施の形態である携帯電話機１００の動作フローチャート（図３及び図４）と正面図（図５）とを参照しながら説明する。キー操作待ち状態（Ｓ３０１）で操作部２４からＣＰＵ２３へ、カーソルキー５０１を操作した旨の制御信号が送信されると（Ｓ３０３）、ＣＰＵ２３は決定操作（例えば、カーソルキー５０１の中央の押下）であったのか、カーソル移動のための操作（例えば、カーソルキー５０１を上下左右のいずれかに押下）であったのかを確認する（Ｓ３０５）。
【００１９】
その結果、決定操作であった場合には、選択されていた項目（図５（ａ）のアイコン５０２に関連付けられているアプリケーション）を実行し（Ｓ３１９）、処理を終了する（Ｓ３１３）。一方、移動操作であった場合にはカーソルが停止したか否か（例えば、１秒間移動なし）を確認する（Ｓ３０７）。停止していない場合には、前処理（Ｓ３０３）に戻って同様の処理を繰り返す。停止したことが確認された場合には、カーソル位置を検出する（Ｓ３０９）。続き、報知処理（Ｓ３１１）を行って処理を終了する（Ｓ３１３）。報知処理（Ｓ３１１）の詳細について以下に説明する。
【００２０】
報知処理（Ｓ３１１）について、本発明の実施の形態である携帯電話機１００の動作フローチャート（図４）と正面図（図５）とタイムチャート（図６）とを参照しながら説明する。まず最初に、カーソル位置検出（図３のＳ３０９）での結果に基づいて、カーソルの行方向の位置Ｍと、カーソルの列方向の位置Ｎとを算出する（Ｓ４０３〜４０５）。
つづいて、▲１▼音での報知なのか、▲２▼振動での報知なのか、▲３▼音と振動との組合せによる報知なのか、メモリ２５を参照して確認する。そして、▲１▼の場合はスピーカを、▲２▼の場合はバイブレータを、▲３▼の場合はスピーカ及びバイブレータを起動する（Ｓ４０６）。
【００２１】
上記▲１▼〜▲３▼は、携帯電話機１００のモード設定（通常モードなのか、マナーモードなのか等）に応じて変更することも可能である。したがって、本来は▲１▼音での報知、または▲２▼音と振動との組合せによる報知である場合でも、携帯電話機１００がマナーモードに設定されている際は、マナーモード用の報知パターンに切り替えて報知する。
その後、バイブレータ２７を起動して振動をＭ回発生し（Ｓ４０７）、スピーカ２０又は２２を起動して区切り音を出力し（Ｓ４０９）、バイブレータ２７を起動して振動をＮ回発生（Ｓ４１１）させる。そして最後に、スピーカ２０又は２２を起動し、報知終了を意味する「終了音」を２回出力した後（Ｓ４１２）、処理を終了する（Ｓ４１３）。
【００２２】
具体的な動作内容を、図５（ａ）及び図６（ｃ）を参照しながら説明すると、カーソル５０２は行方向の位置２（＝Ｍ）、列方向の位置３（＝Ｎ）であることがわかる。図６（ｃ）の６０１（白色矩形）はバイブレータ２７からの発生振動を、６０３（黒色矩形）はスピーカ２０又は２２からの出力音を表している。本実施の形態では、位置Ｍ＝２及び位置Ｎ＝３のため、同図に示すとおり、バイブレータ２７によって２回振動を発生し、スピーカ２０又は２２から区切り音を１回出力し、バイブレータ２７によって３回振動を発生し、スピーカ２０又は２２から終了音を２回出力している。
【００２３】
（３）報知パターンについて
図６を参照しながら、本発明の実施の形態の「報知パターン」について説明する。報知パターンは▲１▼音での報知の場合、▲２▼振動での報知の場合、▲３▼音と振動との組合せによる報知の場合について、それぞれ複数存在する。
【００２４】
（３−１）音での報知の場合
音での報知の場合の「報知パターン」のパラメータを以下に示す。
・報知音の出力間隔
・報知音の連続出力時間
・報知音の出力回数
・報知音の音色（ブザー音、電子音、メロディ、動物の鳴き声等）
上記パラメータを組合せることによって、複数の報知パターンをメモリ２５に登録することができる。例えば、図６（ａ）に示すように「出力間隔Ｔ６０，連続出力時間Ｔ６１で報知を繰り返す報知パターン」のほか、図６（ｂ）に示すように「異なる出力間隔Ｔ６３とＴ６５、異なる連続出力時間Ｔ６２とＴ６４の報知を交互に繰り返す報知パターン」も登録可能である。
【００２５】
（３−２）振動での報知の場合
振動での報知の場合の「報知パターン」のパラメータを以下に示す。
・報知振動の発生間隔
・報知振動の連続発生時間
・報知振動の発生回数
上記パラメータを組合せることによって、複数の報知パターンをメモリ２５に登録することができる。例えば、図６（ａ）に示すように「発生間隔Ｔ６０，連続発生時間Ｔ６１で報知を繰り返す報知パターン」のほか、図６（ｂ）に示すように「異なる発生間隔Ｔ６３とＴ６５、異なる連続発生時間Ｔ６２とＴ６４の報知を交互に繰り返す報知パターン」も登録可能である。
【００２６】
（３−３）音と振動との組合せによる報知の場合
「音と振動との組合せによる報知」の場合の「報知パターン」のパラメータを以下に示す。
・報知音の出力間隔
・報知振動の発生間隔
・報知音の連続出力時間
・報知振動の連続発生時間
・報知音の出力回数
・報知振動の発生回数
・報知音の音色
上記パラメータを組合せることによって、複数の報知パターンをメモリ２５に登録することができる。例えば、図６（ｃ）に示すように「所定の発生間隔及び連続発生時間の報知振動によって数値（この場合、行方向の値Ｍと列方向の値Ｎ）を表し、所定の出力間隔及び連続出力時間の報知音によってこれら数値を区切る報知パターン」も登録可能である。
【００２７】
（４）他の実施の形態について
本発明の第２の実施の形態では、行方向と列方向とに配列されている複数のアイコンを基準してカーソル位置を表現したが、選択項目の論理的な位置や座標位置でカーソル位置を表現することも可能である。
【００２８】
（５−１）選択項目の論理的な位置でカーソル位置を表現する場合
図５（ｂ）には、選択項目の論理的な位置でカーソル位置を表現する場合のＬＣＤ表示部２６の状態を示している。同図に示すとおり、ＬＣＤ表示部２６には登録データ００１〜００５が表示されている。登録データ００１〜００５は、例えば、電話帳メモリへの登録データであるとする。そして、登録データ００１の論理的な位置を１とすると、登録データ００２の論理的な位置は２、登録データ００３の論理的な位置は３、登録データ００４の論理的な位置は４、登録データ００５の論理的な位置は５となる。
同図を参照すると、登録データ００２上にカーソルがあるため、本発明によれば報知音を２回出力したり、報知振動を２回発生したりする等してカーソル位置を報知することが可能である。
【００２９】
（５−２）座標位置でカーソル位置を表現する場合
図５（ｃ）には、座標位置でカーソル位置を表現する場合のＬＣＤ表示部２６の状態を示している。同図に示すとおり、ＬＣＤ表示部２６にはメール本文が表示されており、文中の「会議室」の「会」にカーソル５０５がある。
本発明によればカーソル５０５の座標位置を取得し、当該座標位置に基づく報知音又は報知振動を発生することも可能である。具体的には、カーソル５０５が画面中央にある場合には報知振動（連続発生時間＝２０ｍｓｅｃ）を１回出力し、画面端部にある場合には報知振動（連続発生時間＝５ｍｓｅｃ，発生間隔＝５ｍｓｅｃ）を連続３回出力したりする。
【００３０】
さらに、図５（ｃ）のカーソル５０５が入力画面の先頭位置から何行目の何文字目にあるのか解析し、第２の実施の形態のように、報知振動と区切り音とによってその位置を報知してもよい。カーソル５０５は「３行目の６文字目」にあるので、報知振動を３回＋６回発生し、両者の間に区切り音を１回出力する。
なお、本実施の形態ではいわゆる入力カーソル５０５の座標位置に基づいて報知音を出力したが、入力カーソル以外のカーソル（例えば、マウスカーソル等）の座標位置に基づいて報知音・報知振動の発生を行うこともできる。
以上、本発明の実施形態について示したが、本発明は前述したものだけに限定されるものではなく、その範囲を逸脱しない限り、変更及び修正されたものにも適用できることは言う迄もない。
【００３１】
【発明の効果】
以上のように、本発明の携帯端末装置によれば、他の行為と並行してアイコンの選択状態の確認を行うことが容易になり、操作性の向上を図ることができる。
【図面の簡単な説明】
【図１】本発明の実施の形態である携帯電話機の機能ブロック図。
【図２】本発明の実施の形態である携帯電話機の動作を説明するフローチャート。
【図３】本発明の実施の形態である携帯電話機の動作を説明するフローチャート。
【図４】本発明の実施の形態である携帯電話機の動作を説明するフローチャート。
【図５】本発明の実施の形態である携帯電話機のＬＣＤ表示部を表した図。
【図６】本発明の実施の形態である報知パターンを説明するためのタイムチャート。
【符号の説明】
２０      受話スピーカ
２２      着信音スピーカ
２３      ＣＰＵ
２４      操作部
２５      メモリ
２７      バイブレータ
【図１】
2004328087.tif 000003
【図２】
2004328087.tif 000004
【図３】
2004328087.tif 000005
【図４】
2004328087.tif 000006
【図５】
2004328087.tif 000007
【図６】
2004328087.tif 000008